(57)【要約】【課題】汚れ等の劣化を防止し、作業性や使用性を向上させ、見栄えを良好にするケース用カバー部材を提供する。【解決手段】本発明に係るケース用カバー部材Ａは、ケースの背面に接着されるマグネットシート１と、ケースの表面及びマグネットシート１の表面を被覆するように接着される保護シート２とを有する。保護シート２は、耐水性及び耐油性を有する材質で作られた基材と、粘着材とを有する。保護シート２の表面には、文字、図形、記号、模様若しくは色彩又はこれらの結合したものが施されている。【選択図】  図１
2009298457.tif 000002
【特許請求の範囲】
【請求項１】
ケースの表面の一部に接着されるマグネットシートと、
前記ケースの表面及び前記マグネットシートの表面を被覆するように接着される保護シートとを有し、
前記マグネットシートの磁力により、前記ケースを対象物に着脱可能に吸着する、
ことを特徴とするケース用カバー部材。
【請求項２】
前記保護シートは、耐水性及び耐油性を有する材質で作られた基材と、粘着材とを有することを特徴とする請求項１に記載のケース用カバー部材。
【請求項３】
前記基材は、ポリ塩化ビニル系フィルム、ポリオレフィン系フィルム、ポリビニルアルコール系フィルム、ポリエステル系フィルム、ポリアクリル系フィルム、ポリアミド系フィルム、ポリウレタン系フィルムからなる群より選択される１種又は２種以上で構成されていることを特徴とする請求項２に記載のケース用カバー部材。
【請求項４】
前記粘着材は、アクリル系樹脂材又はゴム系粘着材で構成されていることを特徴とする請求項２又は３に記載のケース用カバー部材。
【請求項５】
前記保護シートの表面には、文字、図形、記号、模様若しくは色彩又はこれらの結合したものが施されていることを特徴とする請求項１乃至４のいずれか１つの項に記載のケース用カバー部材。
【請求項６】
前記ケースは、上面に開口部を備え、略直方体形状の紙製の本体と、前記本体の背面上部に連結され、前記本体の開口部を開閉する紙製の蓋体と、前記本体の内部に収納され、回転可能に支持された円筒状のコアと、前記コアに巻かれた長尺状のシート材と、前記蓋体の先端に取り付けられ、前記シート材を所望の長さで切断するための切断部材とを有し、
前記マグネットシートは、前記ケースの本体の背面に接着され、
前記保護シートは、前記本体、蓋体及びマグネットシートの表面を被覆するように接着される、
ことを特徴とする請求項１乃至５のいずれか１つの項に記載のケース用カバー部材。
【発明の詳細な説明】
【技術分野】
【０００１】
本発明は、ケース用カバー部材に関し、特に、ラップフィルム、アルミホイル、台所用シート等の各種シート材を収納し、外部から取り出すためのケースの表面に被覆されるケース用カバー部材に関する。
【背景技術】
【０００２】
図４はケースの一例を示す斜視図である。
【０００３】
図４に示すように、ケースＢは、上面に開口部５０ａを備え、正面部５０ｂ、背面部５０ｃ、側面部５０ｄ及び底面部５０ｅからなる略直方体形状の紙製の本体５０と、本体５０の背面部５０ｃの上部に連結され、本体５０の開口部５０ａを開閉する紙製の蓋体５１と、本体５０の内部に収納され、回転可能に支持された円筒状のコア５２と、コア５２に巻かれた長尺状のシート材５３とを有する。
【０００４】
シート材５３は、例えば合成樹脂製のラップフィルム、アルミホイル、台所用シート等である。
【０００５】
蓋体５１は、閉じた時に、本体５０の正面部５０ｂと重なり合う蓋片部５１ａと、本体５０の側面部５０ｄと重なり合う蓋側部５１ｂと、本体５０の開口部５０ａを覆う蓋板部５１ｃとからなり、蓋片部５１ａの裏側には、金属製の切断部材５４が取り付けられている。
【０００６】
切断部材５４の先端には、蓋体５１を閉じた状態で、外部に送出されているシート材５３を所望の長さで切断するための鋸歯５４ａを備えており、その鋸歯５４ａは蓋片部５４の先端からわずかに突出するように配置されている（以下、この技術を従来例１という）。
【０００７】
また、特許文献１及び特許文献２には、マグネット付きホルダーやフェライト磁石をラップケースやクッキングボックス等のケースの内部に収納することにより、ケースを冷蔵庫等の表面に着脱可能に吸着できるようにした従来技術が提案されている（以下、この技術を従来例２という）。
【特許文献１】実用新案登録第３０８９４４５号公報
【特許文献２】実用新案登録第３０４０８０４号公報
【発明の開示】
【発明が解決しようとする課題】
【０００８】
従来例１には次のような課題があった。
【０００９】
（１）ケースの本体５０及び蓋体５１が紙製であるため、台所等で使用した場合、表面に水や油等が付着して、汚れ等で劣化しやすかった。
【００１０】
（２）ケース全体が長形物であり場所をとるため、作業の邪魔になりやすく、また、棚等に収納しても出し入れが面倒であった。
【００１１】
（３）美容院等では、毛染やパーマ等の際に髪毛をコーティングするためのラップフィルムを収納したケースを用いる場合があるが、通常台所で使用しているものであるため、見栄えが悪かった。
【００１２】
従来例２では次のような課題があった。
【００１３】
（４）マグネット付きホルダーやフェライト磁石はケースの内部に収納されているので、コアに巻かれたシート材に接触しやすく、シート材が取り出しにくかった。
【００１４】
（５）マグネット付きホルダーやフェライト磁石が露出されているので、不安定な状態で保持されており、破損や損傷のおそれがあった。
【００１５】
本発明は、上記課題を解決するためになされたものであり、汚れ等の劣化を防止し、作業性や使用性を向上させ、見栄えを良好にするケース用カバー部材を提供することを目的とする。
【課題を解決するための手段】
【００１６】
本発明のケース用カバー部材は、ケースの表面の一部に接着されるマグネットシートと、前記ケースの表面及び前記マグネットシートの表面を被覆するように接着される保護シートとを有し、前記マグネットシートの磁力により、前記ケースを対象物に着脱可能に吸着することを特徴とするものである。
【００１７】
前記保護シートは、耐水性及び耐油性を有する材質で作られた基材と、粘着材とを有してもよい。
【００１８】
前記基材は、ポリ塩化ビニル系フィルム、ポリオレフィン系フィルム、ポリビニルアルコール系フィルム、ポリエステル系フィルム、ポリアクリル系フィルム、ポリアミド系フィルム、ポリウレタン系フィルムからなる群より選択される１種又は２種以上で構成されていてもよい。
【００１９】
前記粘着材は、アクリル系樹脂材又はゴム系粘着材で構成されていてもよい。
【００２０】
前記保護シートの表面には、文字、図形、記号、模様若しくは色彩又はこれらの結合したものが施されていてもよい。
【００２１】
前記ケースは、上面に開口部を備え、略直方体形状の紙製の本体と、前記本体の背面上部に連結され、前記本体の開口部を開閉する紙製の蓋体と、前記本体の内部に収納され、回転可能に支持された円筒状のコアと、前記コアに巻かれた長尺状のシート材と、前記蓋体の先端に取り付けられ、前記シート材を所望の長さで切断するための切断部材とを有し、前記マグネットシートは、前記ケースの本体の背面に接着され、前記保護シートは、前記本体、蓋体及びマグネットシートの表面を被覆するように接着されてもよい。
【発明の効果】
【００２２】
本発明に係るケース用カバー部材によれば、次のような効果を奏する。
【００２３】
（１）ケースの表面を保護シートにより被覆しているので、水や油をはじいて拭き取れるため、汚れ等の劣化を防止できる。
【００２４】
（２）ケースの表面を対象物（例えば冷蔵庫等）に着脱可能に吸着することができるので、作業性を向上させることができる。
【００２５】
（３）保護シートの表面には、文字、図形、記号、模様若しくは色彩又はこれらの結合したものを施すことができるので、美容院等のように家庭の台所以外の場所で使用しても、見栄えが良好になり、デザイン性が向上する。
【００２６】
（４）マグネットシートは、ケースの表面側に接着されているので、シート材が取り出しにくくなることはなく、使用性を維持させることができる。
【００２７】
（５）マグネットシートの表面は、保護シートによって被覆されているので、マグネットシートを安定した状態で保持することができるとともに、マグネットシートの破損や損傷を防止できる。
【発明を実施するための最良の形態】
【００２８】
以下、本発明の実施の形態について図面を参照して説明する。図１（Ａ）は本発明の実施形態例に係るケース用カバー部材をケースに取り付けた状態を示す斜視図、（Ｂ）はその背面図、（Ｃ）は、（Ｂ）のｃ１−ｃ１線断面図である。
【００２９】
図１（Ａ）〜（Ｃ）に示すように、本発明の実施形態例に係るケース用カバー部材Ａは、図４に示すケースＢの背面に接着されるマグネットシート１と、ケースＢの表面及びマグネットシート１の表面を被覆するように接着される保護シート２とを有する。
【００３０】
保護シート２は、耐水性及び耐油性を有する材質で作られた基材と、粘着材とを有する。
【００３１】
基材としては、例えばポリ塩化ビニル系フィルム、ポリオレフィン系フィルム、ポリビニルアルコール系フィルム、ポリエステル系フィルム、ポリアクリル系フィルム、ポリアミド系フィルム、ポリウレタン系フィルムからなる群より選択される１種又は２種以上で構成されている。
【００３２】
粘着材としては、例えばアクリル系樹脂材又はゴム系粘着材で構成されている。
【００３３】
保護シート２の表面には、文字、図形、記号、模様若しくは色彩又はこれらの結合したものが施されていてもよい。
【００３４】
図２（Ａ）は本発明の実施形態例に係るケース用カバー部材のマグネットシートを示す平面図、（Ｂ）〜（Ｆ）は保護シートを示す平面図である。
【００３５】
本発明の実施形態例に係るケース用カバー部材ＡをケースＢに取り付ける場合、まず、図２（Ａ）に示すマグネットシート１を本体５０の背面部５０ｃに両面テープや接着剤等で接着する。
【００３６】
次いで、図２（Ｂ）に示す２枚の保護シート２ａ（例えば幅２ｃｍ程度）を蓋体５１ａの蓋片部５１ａ及び蓋側部５１ｂに略Ｌ字状に接着し、図２（Ｃ）に示す２枚の保護シート２ｂ（例えば幅３ｃｍ程度）を本体５０の正面部５０ｂ、側面部５０ｄ及び背面部５０ｃに略コ字状に接着する。これによって、ケースＢの使用を繰り返すことによって剥がれやすい蓋体５１の蓋側部５１ｂや本体５０の側面部５０ｄを剥がれないように補強する。
【００３７】
次いで、図２（Ｄ）に示す２枚の保護シート２ｃを、それぞれ蓋体５１の蓋側部５１ｂ及び蓋板部５１ｃの両端部に略Ｌ字状に接着し、図２（Ｅ）に示す２枚の保護シート２ｄを、それぞれ本体５０の側面部５０ｄ及び底面部ｅの両端部に略Ｌ字状に接着する。
【００３８】
その後、図２（Ｅ）に示す保護シート２ｅを、蓋体５１の蓋片部５１ａ、蓋板部５１ｃ、本体５０の背面部５０ｃ、底面部５０ｅ、正面部５０ｂ、マグネットシート１のそれぞれの表面に被覆するように接着する。その際、保護シート２ｅは、蓋体５１の蓋片部５１ａに接着された保護シート２ａ、蓋板部５１ｃに接着された保護シート２ｃ、本体５０の背面部５０ｃに接着された保護シート２ｂ、底面部５０ｅに接着された保護シート２ｄ、正面部５０ｂに接着された保護シート２ｂに重なり合うことになる。
【００３９】
図３は、本発明の実施形態例に係るケース用カバー部材Ａを対象物に吸着している状態を概略的に示す側面図である。
【００４０】
図３に示すように、保護シート２に被覆されたマグネットシート１の磁力により、ケースＢの本体５０の背面を対象物Ｔ（例えば冷蔵庫等）に着脱可能に吸着することができる。
【００４１】
マグネットシート１は、保護シート２を介して対象物Ｔに十分に吸着できる程度の磁力を備えていることが必要である。また、マグネットシート１の接着面積が広ければ、狭い場合に比べ、マグネットシート１自体の磁力をある程度小さくすることが可能である。
【００４２】
本発明の実施形態例に係るケース用カバー部材Ａによれば、ケースＢの表面を保護シート２により被覆しているので、水や油をはじいて拭き取れるため、汚れ等の劣化を防止できる。
【００４３】
また、ケースＢの表面の一部を対象物Ｔ（例えば冷蔵庫等）に着脱可能に吸着することができるので、作業性を向上させることができる。
【００４４】
また、ケースＢの表面を保護シート２により被覆しているので、保護シート２の表面には、文字、図形、記号、模様若しくは色彩又はこれらの結合したものを施すことができるので、美容院等のように家庭の台所以外の場所で使用しても、見栄えが良好になり、デザイン性が向上する。
【００４５】
また、マグネットシート１は、ケースＢの表面に接着されているので、シート材５３が取り出しにくくなることはなく、使用性を向上させることができる。
【００４６】
さらに、マグネットシート１の表面は、保護シート２によって被覆されているので、マグネットシート１を安定した状態で保持することができるとともに、マグネットシート１の破損や損傷を防止できる。
【００４７】
本発明は、上記実施の形態に限定されることはなく、特許請求の範囲に記載された技術的事項の範囲内において、種々の変更が可能である。
【００４８】
例えば、マグネットシート１及び保護シート２の材質、形状、大きさ等は例示であり、これに限定されることはなく、ケースＢの材質、形状、大きさ等に応じて適宜変更される。
【産業上の利用可能性】
【００４９】
本発明のケース用カバー部材は、ラップフィルム、アルミホイル、台所用シート等の各種シート材を収納し、外部から取り出すためのケースの表面に被覆して利用される。
【図面の簡単な説明】
【００５０】
【図１】（Ａ）は本発明の実施形態例に係るケース用カバー部材をケースに取り付けた状態を示す斜視図、（Ｂ）はその背面図、（Ｃ）は、（Ｂ）のｃ１−ｃ１線断面図である。
【図２】（Ａ）は本発明の実施形態例に係るケース用カバー部材のマグネットシートを示す平面図、（Ｂ）〜（Ｆ）は保護シートを示す平面図である。
【図３】本発明の実施形態例に係るケース用カバー部材を対象物に吸着している状態を概略的に示す側面図である。
【図４】ケースの一例を示す斜視図である。
【符号の説明】
【００５１】
Ａ：ケース用カバー部材
Ｂ：ケース
１：マグネットシート
２，２ａ〜２ｅ：保護シート
５０：本体
５０ａ：開口部
５１：蓋体
５１ａ：蓋片部
５２：コア
５３：シート材
５４：切断部材
５４ａ：鋸歯
【図１】
2009298457.tif 000003
【図２】
2009298457.tif 000004
【図３】
2009298457.tif 000005
【図４】
2009298457.tif 000006